(57)【要約】【課題】管理者（保護者など）にとって、テレビ放送に係る映像表示を適切に管理することが容易となるテレビ放送受信装置を提供する。【解決手段】テレビ放送に係る放送信号を受信し、該放送信号に基づいた映像情報である第１映像情報を生成して、所定の映像表示装置に出力する第１処理を実行するテレビ放送受信装置において、所定の条件が満たされたときに、前記第１処理の実行を停止させる制限部と、所定の認証処理を通じて、アクセス者が管理者であるか否かを判別する判別部と、前記判別部により管理者であると判断された場合にのみ、該アクセス者による前記条件の変更を可能とする変更部と、を備えたテレビ放送受信装置とする。【選択図】図２
2008244711.tif 000002
【特許請求の範囲】
【請求項１】
テレビ放送に係る放送信号を受信し、該放送信号に基づいた映像情報である第１映像情報を生成して所定の映像表示装置に出力する、第１処理を実行するテレビ放送受信装置において、
所定の条件が満たされたときに、前記第１処理の実行を停止させる制限部と、
所定の認証処理を通じて、アクセス者が管理者であるか否かを判別する判別部と、
前記判別部により管理者であると判断された場合にのみ、該アクセス者による前記条件の変更を可能とする変更部と、
を備えたことを特徴とするテレビ放送受信装置。
【請求項２】
請求項１に記載のテレビ放送受信装置であって、
該テレビ放送受信装置において予め準備された所定の第２映像情報を、前記映像表示装置に出力する第２処理をも実行することを特徴とするテレビ放送受信装置。
【請求項３】
前記第２映像情報における映像は、ユーザの学習用として構成されていることを特徴とする請求項２に記載のテレビ放送受信装置。
【請求項４】
前記制限部は、
前記条件が満たされているか否かに関わらず、前記第２処理については、その実行を停止させないことを特徴とする請求項２または請求項３に記載のテレビ放送受信装置。
【請求項５】
前記認証処理は、
アクセス者により入力されたパスワード、アクセス者の指紋、およびアクセス者の声のうちの、少なくとも一つに基づいて実行されることを特徴とする請求項１から請求項４の何れかに記載のテレビ放送受信装置。
【請求項６】
所定のタイミング以降について前記第１処理が実行された期間の累積時間を監視する時間監視部を備え、
前記条件は、該時間監視部による監視結果が、予め定められている制限時間に達していることであり、
前記変更部は、該制限時間の変更を可能とするものであることを特徴とする請求項１から請求項５の何れかに記載のテレビ放送受信装置。
【請求項７】
前記所定のタイミングは、前記条件の変更がなされた時であることを特徴とする請求項６に記載のテレビ放送受信装置。
【請求項８】
前記条件は、現時点が、予め定められている制限時間帯に属していることであり、
前記変更部は、該制限時間帯の変更を可能とするものであることを特徴とする請求項１から請求項５の何れかに記載のテレビ放送受信装置。
【請求項９】
前記制限部は、
予め特定された１個または複数のチャンネルである制限チャンネルについてのみ、前記第１処理の実行を停止させるものであり、
前記変更部は、前記制限チャンネルの変更をも可能とするものであることを特徴とする請求項６から請求項８の何れかに記載のテレビ放送受信装置。
【請求項１０】
前記条件は、予め特定された１個または複数のチャンネルである制限チャンネルについて、前記第１処理が実行されようとしていることであり、
前記変更部は、該制限チャンネルの変更を可能とするものであることを特徴とする請求項１から請求項５の何れかに記載のテレビ放送受信装置。
【請求項１１】
前記放送信号に対して所定のチャンネルを選局するチューナ装置を備えており、
前記第１処理は、該チューナ装置による選局処理を含むものであって、
前記制限部は、
全てのチャンネルについて前記第１処理の実行を停止させる場合には、該チューナ装置に対する駆動電力の供給を遮断することにより、該第１処理の実行を停止させることを特徴とする請求項１から請求項１０の何れかに記載のテレビ放送受信装置。
【発明の詳細な説明】
【技術分野】
【０００１】
本発明はテレビ放送受信装置に関し、特に、何らかの視聴制限を付加することが可能なものに関する。
【背景技術】
【０００２】
従来、テレビ放送を受信して放送番組の映像や音響を出力させるテレビ放送受信装置（以下、適宜「ＴＶ装置」と称する）が広く用いられている。かかるＴＶ装置としては、テレビ放送の受信処理に特化したものの他、携帯電話機に内蔵されたものや、子供の学習用としても使用できるもの等、種々の態様が考えられている。このようにＴＶ装置が普及したことによって、ユーザはいつでもどこでも情報収集を行うことができ、利便性が大きく向上している。
【０００３】
なお子供の学習用としても使用できる（学習機能の付いた）ＴＶ装置としては、例えば教育用として作成された映像情報を、通信や情報記録媒体（例えばＤＶＤやビデオテープ）などを通じて受信装置に予め記憶させておき、この映像情報を適宜再生できるようにすることで実現可能である。
【特許文献１】特開２００６−２２９２７３号公報
【特許文献２】特開２００６−１８６６７１号公報
【発明の開示】
【発明が解決しようとする課題】
【０００４】
しかしＴＶ装置の普及に伴って、ユーザがテレビ番組を見る時間は長くなる傾向にある。視聴時間が過度に長くなると、視力の低下といった弊害をもたらすことになる。特に幼い子供がＴＶ装置を使用するような場合、好きな時間いつまでもテレビ番組を見ていて、視力が低下するおそれがある。
【０００５】
また学習機能の付いたＴＶ装置を、自主的に学習させる目的で子供に与えた場合であっても、子供が勝手にテレビ番組を見ることができるようになっていると、学習用という本来の目的が果たされないおそれがある。
【０００６】
そこで本発明は、管理者（保護者など）にとって、テレビ放送に係る映像表示を適切に管理することが容易となるテレビ放送受信装置の提供を目的とする。
【課題を解決するための手段】
【０００７】
上記目的を達成するため、本発明に係るテレビ放送受信装置は、テレビ放送に係る放送信号を受信し、該放送信号に基づいた映像情報である第１映像情報を生成して所定の映像表示装置に出力する、第１処理を実行するテレビ放送受信装置において、所定の条件が満たされたときに、前記第１処理の実行を停止させる制限部と、所定の認証処理を通じて、アクセス者が管理者であるか否かを判別する判別部と、前記判別部により管理者であると判断された場合にのみ、該アクセス者による前記条件の変更を可能とする変更部と、を備えた構成（第１の構成）とする。
【０００８】
本構成によれば、管理者によって決められた条件にて、テレビ放送に係る映像表示を停止させることが可能となる。また条件の変更にあたっては、所定の認証処理により管理者であると判断される必要があるから、管理者以外の者によって条件が勝手に変更されることを、極力防止することが可能となる。そのため管理者にとっては、テレビ放送に係る映像表示を適切に管理することが容易となる。
【０００９】
また上記第１の構成に係るテレビ放送受信装置であって、該テレビ放送受信装置において予め準備された所定の第２映像情報を、前記映像表示装置に出力する第２処理をも実行する構成（第２の構成）としてもよい。
【００１０】
本構成によれば、例えばユーザにとって有用な映像の情報を、第２映像情報として予め準備しておくことで、かかる映像をユーザに見せることが可能となる。
【００１１】
また上記第２の構成において、前記第２映像情報における映像は、ユーザの学習用として構成されているもの（第３の構成）としてもよい。このようにすれば、例えば子供にテレビ放送受信装置を与えて自主的に学習させるとともに、子供がテレビ放送を見過ぎるといったことが無いように、第１処理の実行に制限を加えることが可能である。
【００１２】
また上記第２または第３の構成において、前記制限部は、前記条件が満たされているか否かに関わらず、前記第２処理については、その実行を停止させない構成（第４の構成）としてもよい。
【００１３】
本構成によれば、例えば管理者が第２映像情報による映像をユーザに見せる目的でテレビ放送受信装置をユーザに与える場合、かかる映像の表示を制限させないようにしながらも、テレビ放送に係る映像については適切に制限するといったことが容易となる。
【００１４】
また上記第１から第４の何れかの構成において、前記認証処理は、アクセス者により入力されたパスワード、アクセス者の指紋、およびアクセス者の声のうちの、少なくとも一つに基づいて実行される構成（第５の構成）としてもよい。
【００１５】
また上記第１から第５の何れかの構成において、所定のタイミング以降について前記第１処理が実行された期間の累積時間を監視する時間監視部を備え、前記条件は、該時間監視部による監視結果が、予め定められている制限時間に達していることであり、前記変更部は、該制限時間の変更を可能とする構成（第６の構成）としてもよい。
【００１６】
本構成によれば、ユーザが制限時間を超えてテレビ放送に係る映像を見続けることを、防止することが可能となる。そのため、かかる制限時間を適切に定めておくことにより、ユーザの視力低下などを極力防ぐことが可能となる。
【００１７】
また上記第６の構成において、前記所定のタイミングは、前記条件の変更がなされた時である構成（第７の構成）としてもよい。本構成によれば、管理者により制限時間が変更された後、ユーザがこの制限時間を越えてテレビ放送に係る映像を見続けることを、防止することが可能となる。
【００１８】
また上記第１から第５の何れかの構成において、前記条件は、現時点が、予め定められている制限時間帯に属していることであり、前記変更部は、該制限時間帯の変更を可能とするものである構成（第８の構成）としてもよい。
【００１９】
本構成によれば、ユーザが制限時間帯にテレビ放送に係る映像を見ることを、防止することが可能となる。そのため、ユーザが深夜時間帯にテレビ番組を見ることや、管理者にとってテレビ番組を見させたくない時間帯にユーザが勝手にテレビ番組を見ること等を、防止することが可能となる。
【００２０】
また上記第６から第８の何れかの構成において、前記制限部は、予め特定された１個または複数のチャンネルである制限チャンネルについてのみ、前記第１処理の実行を停止させるものであり、前記変更部は、前記制限チャンネルの変更をも可能とするものである構成（第９の構成）としてもよい。
【００２１】
本構成によれば、例えば管理者にとってユーザに見せたくない番組が存在する場合、その番組が放送されるチャンネルについて制限時間帯などを適切に決めておくことで、ユーザが係る番組を見ることを防止することが可能となる。
【００２２】
また上記第１から第５の何れかの構成において、前記条件は、予め特定された１個または複数のチャンネルである制限チャンネルについて、前記第１処理が実行されようとしていることであり、前記変更部は、該制限チャンネルの変更を可能とするものである構成（第１０の構成）としてもよい。
【００２３】
本構成によれば、例えば管理者にとって、ユーザに見せたくない番組が多数放送されるようなチャンネルが存在する場合、かかるチャンネルの番組をユーザに見せないようにすることが容易となる。
【００２４】
また上記第１から第１０の何れかの構成において、前記放送信号に対して所定のチャンネルを選局するチューナ装置を備えており、前記第１処理は、該チューナ装置による選局処理を含むものであって、前記制限部は、全てのチャンネルについて前記第１処理の実行を停止させる場合には、該チューナ装置に対する駆動電力の供給を遮断することにより、該第１処理の実行を停止させる構成（第１１の構成）としてもよい。
【００２５】
本構成によれば、チューナ装置への駆動電力の供給自体を遮断することにより、第１処理の実行をより確実に停止させることが可能となる。またチューナ装置における無駄な電力消費を、極力防ぐことが可能となる。
【発明の効果】
【００２６】
上述の通り、本発明に係るテレビ放送受信装置によれば、管理者によって決められた条件にて、テレビ放送に係る映像表示を停止させることが可能となる。また条件の変更にあたっては、所定の認証処理により管理者であると判断される必要があるから、管理者以外の者によって条件が勝手に変更されることを、極力防止することが可能となる。そのため管理者にとっては、テレビ放送に係る映像表示を適切に管理することが容易となる。
【発明を実施するための最良の形態】
【００２７】
本発明の実施形態について、図１に示す構成のテレビ放送受信装置（ＴＶ装置）を挙げて、以下に説明する。本図に示すように当該ＴＶ装置１は、ＴＶチューナ部１１、デモジュレータ部１２、学習機能部１３、スイッチ部１４、電源部１５、制御部１６、設定部１７、および記憶部１８などを備えている。
【００２８】
ＴＶチューナ部１１は、アンテナ１０に接続されており、アンテナ１０によって受信されたテレビ放送に係る放送信号が入力される。そしてこの放送信号に対して、ユーザにより指定されたチャンネルのものを抽出（選局）し、後段の回路に出力する。なお放送信号には、テレビ番組に係る映像を表す映像情報が含まれている。
【００２９】
デモジュレータ部１２は、ＴＶチューナ部１１から伝送された放送信号に所定の処理を施し、映像をＬＣＤ［Liquid Crystal Display］２０に表示させるための信号（映像信号）を生成する。生成された映像信号は、後段のＬＣＤ２０に出力される。
【００３０】
学習機能部１３は、制御部１６からの指示に応じて、予め記憶部１８に記憶されている映像情報に基づいた映像を、ＬＣＤ２０に表示させる処理を実行する。なおこの映像は、子供のための学習用として構成されている映像（以下、「学習用映像」と称す）であり、子供が学習用映像を見ることにより、自主的な学習を行うことが可能となっている。
【００３１】
スイッチ部１４は、電源部１５からＴＶチューナ部１１に供給される駆動電力のＯＮ／ＯＦＦを切り替えるためのスイッチとして機能する。つまり、スイッチ部１４が接続状態のときには、ＴＶチューナ部１１に駆動電力が供給され、逆に非接続状態のときには供給されない。またスイッチ部１４の切替は、制御部１６により制御される。なおスイッチ部１４が非接続状態のときには、放送信号に基づいた映像信号を生成することはできず、ひいては、ＬＣＤ２０を通じてテレビ番組を見ることはできなくなる。
【００３２】
電源部１５は、例えば商用電源や電池により得られる電力を、ＴＶ装置１における各装置に対して、駆動電力として供給する。なお先述の通り、ＴＶチューナ部１１に相当する装置に対しては、スイッチ部１４が接続状態である時に限り、駆動電力が供給される。
【００３３】
制御部１６は、ＴＶ装置１において実行される各種処理を制御するものであり、この処理には、管理者によって定められた条件が満たされたときに、テレビ放送に係る映像の表示を制限させる処理も含まれる。なお制御部１６による制御の具体的内容については、改めて説明する。
【００３４】
設定部１７は、小型のディスプレイやボタンスイッチ等を有しており、ユーザがボタン操作等を通じてＴＶ装置１に指示を与えるための、ユーザインターフェースとして機能する。またリモコン受信装置を備えておき、リモコン操作が可能なものとしても良い。設定部１７により得られた指示情報は制御部１６に伝送され、各処理に反映される。
【００３５】
記憶部１８は、先述した学習用映像の情報など、種々の情報を記憶する。またＴＶ装置１を、ＤＶＤやビデオテープ等のメディアにアクセス可能な仕様としておき、かかるメディアから取得された情報を記憶部１８に記憶できるようにしておいても良い。
【００３６】
また上述した各機能を実現する回路は、Ｉ２Ｃバス１９により互いに接続されている。またデモジュレータ部１２の後段には、ＬＣＤ２０が備えられており、前段から伝送される映像信号に基づいて、映像を表示させる。
【００３７】
以上に説明した構成により、ＴＶ装置１は、テレビ番組の映像をディスプレイ表示することが可能であるとともに、学習用映像を表示することも可能となっている。またテレビ番組に係る映像については、放送チャンネル、時間帯、および制限時間に関して管理者が予め定めた条件が満たされたときに、ＬＣＤ２０による表示を強制的に停止させること（以下、「表示制限」と称す）が可能となっている。次にこの表示制限に関して、以下に具体的に説明する。
【００３８】
まず、ＴＶ装置１に表示制限を実行させる条件を管理者に変更させるための処理について、図２のフローチャートを参照しながら説明する。通常時、制御部１６は、設定部１７を通じて表示制限の条件を変更させる旨の指示（例えばユーザによる所定のボタン操作）がなされているか否かを監視している（ステップＳ１１）。
【００３９】
そしてかかる指示がなされていれば（ステップＳ１１のＹ）、現在ＴＶ装置１の操作を行っている者（アクセス者）が管理者であるか否かを識別するための認証処理を実行する（ステップＳ１２）。より具体的には、アクセス者にパスワードの入力を要求し、その入力内容が、予めＴＶ装置１に登録されているものと一致するかを判断する。そして一致していれば、管理者であると識別される。
【００４０】
この認証処理の結果、アクセス者が管理者であると判断されなければ（ステップＳ１２のＮ）、ステップＳ１１の処理に戻る。一方、アクセス者が管理者であると判断されれば（ステップＳ１２のＹ）、次に表示制限の対象とする放送チャンネルの入力をアクセス者に要求する（ステップＳ１３）。
【００４１】
より具体的には、例えば設定部１７やＬＣＤ２０において、図３に示すようなディスプレイ表示を実行させる。ここでは、ボタン操作等によって放送チャンネルの種類を１個または複数個選択することが可能となっており、選択された放送チャンネルが、表示制限の対象となる。
【００４２】
また「表示制限無し」を選択することにより、表示制限を全く加えないようにすることも可能となっている。「表示制限無し」が選択された場合は、このように設定した後、ステップＳ１１の処理に戻ることとする。さらに「全チャンネルを選択」を選択することにより、放送チャンネルの種類を問わずに、テレビ放送の映像表示に制限を加えることも可能となっている。
【００４３】
そしてチャンネルが入力されたら（ステップＳ１４のＹ）、次に表示制限する時間帯または制限時間の入力をアクセス者に要求する（ステップＳ１５）。より具体的には、例えば図４に示すようなディスプレイ表示を実行させる。ここでは、「表示制限する時間帯」および「制限時間」の何れか一方、もしくは両方を入力することが可能となっている。
【００４４】
なお「表示制限する時間帯」が入力された場合、ステップＳ１３の処理で選択された放送チャンネルについては、この時間帯において（現在時刻がこの時間帯に属している限り）、映像が表示されなくなる。また「制限時間」が入力された場合、ステップＳ１３の処理で選択された放送チャンネルについては、条件設定後について映像が表示されている期間の累積がこの制限時間に達すると、それ以上は映像が表示されなくなる。つまりユーザにとっては、視聴時間がこの制限時間内に限定されることになる。
【００４５】
また「視聴制限する時間帯」と「視聴時間」の両方が入力された場合は、少なくとも一方の条件により映像が表示されなくなった場合に、映像は表示されなくなる。そして更に「無期限」を選択することにより、ステップＳ１３の処理で選択された放送チャンネルについては、常に表示制限を加えるようにすることも可能となっている。
【００４６】
そして時間帯等が入力されたら（ステップＳ１６のＹ）、これまでの入力内容に基づいて、表示制限を実行させる条件を確定し（ステップＳ１７）、ステップＳ１１の処理に戻る。以上の一連の処理によって、管理者は、表示制限を実行させる条件を変更することが可能である。
【００４７】
また表示制限の実行については、制御部１６が、表示制限を実行させる条件、現在選局されている放送チャンネル、現在時刻、および条件確定後に映像表示を行っている期間の累積時間の各々を監視している。なお累積時間の監視については、表示制限の条件確定時以降について、テレビ放送の映像情報がＬＣＤ２０に出力された期間の累積時間を監視する装置を別途備えておき、この装置に実行させるようにしてもよい。
【００４８】
そしてこれらの情報に基づいて制御部１６が、現時点で表示制限を実行させる条件が満たされているか否かを判断する。そしてかかる条件が満たされている場合には、例えばＬＣＤ２０の表示状態を強制的にブルーバック表示（画面全体をブルーの単一色で表示）とする。
【００４９】
なお全ての放送チャンネルについて表示制限を行う場合には、スイッチ部１４を非接続状態に切り替え、ＴＶチューナ部１１への電力供給を遮断することにより、テレビ放送の映像を表示させないようにしても良い。このようにすれば、より確実に表示制限を実現できるとともに、ＴＶチューナ部１１における不要な電力消費を極力削減することも可能となる。
【００５０】
また本実施形態のＴＶ装置１では、アクセス者が管理者であるか否かを識別するための認証処理は、入力されたパスワードの照合を通じてなされるものであるが、これに代えて、あるいはこれに加えて、他の手段を採用してもよい。例えば、バイオメトリクス認証（アクセス者に指紋や声などを入力させ、この入力情報を、予め登録されたものと照合する方法）などを適宜組み合わせて採用しても良い。
【００５１】
以上に説明したＴＶ装置１によれば、例えば保護者（管理者）が子供（ユーザ）に学習用ツール（学習用映像を表示させるもの）として与えた上で、自主的に学習させることが可能となっている。また子供にテレビ放送を視聴させるにあたり、ＴＶ装置１での表示制限を通じて、保護者が適切な管理を行うことが可能となっている。
【００５２】
特に、ある時間帯において子供に視聴させたくない番組が放送されている場合、当該番組が放送されているチャンネルの映像表示を、当該時間帯において制限しておくという使い方が可能である。また制限時間を予め適切に設定しておくことで、子供が長時間テレビ番組を見ることによる視力の低下を、極力防止することが可能である。
【００５３】
なお学習機能部１３によって表示される学習用映像については、管理者が定めた条件が満たされていても、表示が制限されないようになっている。そのため、子供の学習を極力妨げないようにしながらも、テレビ番組の視聴については、適切に管理することができるようになっている。ただし、学習用映像を長時間見ることによる視力低下を防止するため、学習用映像についても、先述のような表示制限を施すようにしても構わない。
【００５４】
またＴＶ装置１は、テレビ放送に係る映像だけでなく、同時に音響をも出力する仕様であっても良い。この場合、上述した表示制限がなされている状態においては、表示制限されている映像に対応した音響の出力をも、停止させておくことが望ましい。
【００５５】
上述の通り、本実施形態のテレビ放送受信装置１は、テレビ放送に係る放送信号を受信し、該放送信号に基づいた映像情報（第１映像情報）を生成して、ＬＣＤ２０に出力する処理（第１処理）を実行する。そして、所定の条件（停止条件）が満たされたときに、第１処理の実行を停止させる手段と、認証処理を通じて、アクセス者が管理者であるか否かを判別する手段と、管理者であると判断された場合にのみ、アクセス者による停止条件の変更を可能とする変更手段と、を備えている。
【００５６】
そのため管理者によって決められた条件にて、テレビ放送に係る映像表示を停止させることが可能となっている。また条件の変更にあたっては、認証処理により管理者であると判断される必要があるから、管理者以外の者によって条件が勝手に変更されることを、極力防止することが可能となっている。そのため管理者にとっては、テレビ放送に係る映像表示を適切に管理することが容易となっている。
【００５７】
以上の通り本発明の実施形態について説明したが、本発明はこの内容に限定されるものでなく、本発明の主旨を逸脱しない限り、種々の改変を加えることが可能である。
【産業上の利用可能性】
【００５８】
本発明は、テレビ放送を受信する受信装置などの分野において利用可能である。
【図面の簡単な説明】
【００５９】
【図１】本発明の実施形態に係るテレビ放送受信装置の構成図である。
【図２】表示制限の条件変更に関する処理の流れ図である。
【図３】表示制限の条件変更に関する処理を説明するための説明図である。
【図４】表示制限の条件変更に関する処理を説明するための説明図である。
【符号の説明】
【００６０】
１    テレビ放送受信装置
１０    アンテナ
１１    ＴＶチューナ部
１２    デモジュレータ部
１３    学習機能部
１４    スイッチ部
１５    電源部
１６    制御部
１７    設定部
１８    記憶部
１９    Ｉ２Ｃバス
２０    ＬＣＤ（映像表示装置）
【図１】
2008244711.tif 000003
【図２】
2008244711.tif 000004
【図３】
2008244711.tif 000005
【図４】
2008244711.tif 000006